(57)【要約】【課題】スカートを着用する人を選ばず、ブラインドがしっくりくる位置となり、着用途中に汗ばんだりしても直ぐに対処することができるスカートのブラインドを提供する。【解決手段】スカートのブラインド１は、第１の折れ線１１で折り曲げられて左右の太腿に沿うように形成されたＶ字部２０と、Ｖ字部２０の第１の折れ線１１に対して傾斜する左右の第２の折れ線１２、１２で折り曲げられてＶ字部２０の間に形成された空間を遮蔽するブラインド部３０と、Ｖ字部２０に連続して形成されてスカートに装着される左右の装着部４０、４０と、を一体に備えることを特徴としている。【選択図】図１
2018016924.tif 000002
【特許請求の範囲】
【請求項１】
平面のシート状の素材から構成され、
第１の折れ線で折り曲げられて左右の太腿に沿うように形成されたＶ字部と、
前記Ｖ字部の前記第１の折れ線に対して傾斜する左右の第２の折れ線で折り曲げられて前記Ｖ字部の間に形成された空間を遮蔽するブラインド部と、
前記Ｖ字部に連続して形成されてスカートに装着される左右の装着部と、を一体に備えることを特徴とする、スカートのブラインド。
【請求項２】
左右の前記装着部は、粘着剤と前記粘着剤の塗布面を覆う剥離紙とを有するとともに、前記剥離紙は１つ又は複数の領域に分割されて、前記剥離紙が剥がされていない領域は、前記Ｖ字部として兼用可能に形成されることを特徴とする、請求項１に記載されたスカートのブラインド。
【請求項３】
左右の前記装着部は、１つ又は複数のミシン目によって複数の領域に分割されて、前記ミシン目に沿って前記装着部を切り取ることができるようにされている、請求項１又は請求項２に記載されたスカートのブラインド。
【請求項４】
平面のシート状の素材から構成され、
第１の折れ線で折り曲げられて左右の太腿に沿うようにＶ字状に形成されるとともに、前記第１の折れ線に対して傾斜する左右の第２の折れ線で折り曲げられて前記Ｖ字の間に形成された空間を遮蔽する、Ｖ字ブラインド部と、
前記Ｖ字ブラインド部に連続して形成されてスカートに装着される左右の装着部と、を一体に備えることを特徴とする、スカートのブラインド。
【請求項５】
左右の前記装着部は、粘着剤と前記粘着剤の塗布面を覆う剥離紙とを有するとともに、前記剥離紙は１つ又は複数の領域に分割されて、前記剥離紙が剥がされていない領域は、前記Ｖ字ブラインド部として兼用可能に形成されることを特徴とする、請求項４に記載されたスカートのブラインド。
【請求項６】
左右の前記装着部は、１つ又は複数のミシン目によって複数の領域に分割されて、前記ミシン目に沿って前記装着部を切り取ることができるようにされている、請求項４又は請求項５に記載されたスカートのブラインド。
【請求項７】
前記Ｖ字ブラインド部の先端は、１つ又は複数のミシン目によって複数の領域に分割されて、前記ミシン目に沿って前記先端を切り取ることができるようにされている、請求項４乃至請求項６のいずれか一項に記載されたスカートのブラインド。
【発明の詳細な説明】
【技術分野】
【０００１】
本発明は、スカートを着用している際に、正座をしたり椅子等に座ったりしたときに、腿と腿との間にできる空間から下着等がのぞいてしまうのを防止するためのスカートのブラインドに関するものである。
【背景技術】
【０００２】
従来から、女性がおしゃれをする際に、膝上丈のミニスカートや、膝上丈の短いスカート部を有するドレスなどを着用することは多い。
【０００３】
しかし、このような丈の短いスカートを着用している際に、正座をしたり椅子等に座ったりしたときに、腿と腿との間にできる空間から下着等がのぞいてしまう、という問題があった。
【０００４】
このような問題を解決するために、例えば、特許文献１には、スカートのセンター内側面に袋状円錐型のブラインドを設け、開口部の端縁の一部に板を設け、板の中央部と内壁底部に鎖の端を吊設して外部と股間部を隠蔽するスカートのブラインドが開示されている。
【先行技術文献】
【特許文献】
【０００５】
【特許文献１】特開平１０−２５９５１２号公報
【発明の概要】
【発明が解決しようとする課題】
【０００６】
しかしながら、特許文献１に開示された従来技術は、スカートを着用する人によって、ブラインドが必ずしも適切な位置にない場合も多いし、着用途中に汗ばんだりしてもスカート自体をクリーニングするまでは対処することができないという問題があった。
【０００７】
そこで、本発明は、スカートを着用する人を選ばず、ブラインドが自分の好みに応じてしっくりくる位置となり、着用途中に汗ばんだりしてもすぐに交換することができるスカートのブラインドを提供することを目的としている。
【課題を解決するための手段】
【０００８】
前記目的を達成するために、本発明のスカートのブラインドは、平面のシート状の素材から構成され、第１の折れ線で折り曲げられて左右の太腿に沿うように形成されたＶ字部と、前記Ｖ字部の前記第１の折れ線に対して傾斜する左右の第２の折れ線で折り曲げられて前記Ｖ字部の間に形成された空間を遮蔽するブラインド部と、前記Ｖ字部に連続して形成されてスカートに装着される左右の装着部と、を一体に備えることを特徴としている。
【０００９】
また、本発明のスカートのブラインドは、平面のシート状の素材から構成され、第１の折れ線で折り曲げられて左右の太腿に沿うようにＶ字状に形成されるとともに、前記第１の折れ線に対して傾斜する左右の第２の折れ線で折り曲げられて前記Ｖ字の間に形成された空間を遮蔽する、Ｖ字ブラインド部と、前記Ｖ字ブラインド部に連続して形成されてスカートに装着される左右の装着部と、を一体に備えることを特徴としている。
【００１０】
ここにおいて、本発明でいうスカートとは、単なるスカートだけでなく、スカート部を有するドレスやワンピースなども含む。すなわち、座った姿勢において、前方から下着が見えそうな構造の衣服であれば、本発明を適用することができる。さらに、実際には下着が見えない構造の衣服に対しても本発明を適用することができる。
【発明の効果】
【００１１】
このような本発明のスカートのブラインドは、上述した構成なので、ブラインドは、スカートのセンター内側面に、着脱可能とされているため、スカートを着用する人を選ばず、ブラインドを自分の好みに応じてしっくりくる位置にすることができる。また、ブラインドを交換すれば、着用途中に汗ばんだりしても直ぐに対処することができる。さらに、立っている姿勢では外から見えず、かつ、座った姿勢では目隠しとなる。そして、装着した状態で正面から見ても、わざとらしい感じがしない、スカートのブラインドとなる。
【図面の簡単な説明】
【００１２】
【図１】実施例１のスカートのブラインドの斜視図である。
【図２】実施例１のスカートのブラインドの平面図である。
【図３】実施例１のスカートのブラインドを装着して座った状態を示す正面図である。
【図４】実施例２のスカートのブラインドの斜視図である。
【図５】実施例２のスカートのブラインドの平面図である。
【図６】実施例２のスカートのブラインドを装着して座った状態を示す正面図である。
【図７】変形例のスカートのブラインドの平面図である。
【発明を実施するための形態】
【００１３】
以下、本発明を実施するための形態を、図面に示す実施例１〜３に基づいて説明する。
【実施例１】
【００１４】
（構成）
まず、図１〜３を用いて実施例１の構成について説明する。この実施例１のスカートのブラインド１は、単一の長方形のシート状の素材をいくつかの折れ線（又はミシン目）に沿って折り曲げることによって立体的に構成される。すなわち、スカートのブラインド１は、図１、２に示すように、例えばアクリル、ポリエステルやナイロンなどの化学繊維、綿や麻などの天然繊維、不織布、フェルト、和紙、洋紙等を含むシート状の素材１０から構成され、平面のシート状の素材１０の略中央に形成された第１の折れ線１１で折り曲げられて左右の太腿に沿うように形成されたＶ字部２０と、Ｖ字部２０の第１の折れ線１１に対して傾斜する左右の第２の折れ線１２、１２で折り曲げられてＶ字部２０の間に形成された空間を遮蔽するブラインド部３０と、Ｖ字部２０に連続して形成されてスカートに装着される左右の装着部４０、４０と、を一体に備えている。
【００１５】
Ｖ字部２０は、四角形のシート状の素材１０を、左右の両辺の略中央の第１の折れ線１１で谷折り（上面視）に折り曲げることによって形成される。すなわち、折り紙でいうところの「四角折り（折り本基本折り）」の要領で素材１０を２つに折り曲げて開くことによってＶ字状に形成される。ブラインド１をスカートＳに装着した状態では、Ｖ字部２０は両脚部の内側に沿うように位置するため、第１の折れ線１１における折り曲げ角度は、両脚部とスカートＳで囲まれた空間を埋めることができるように調整される。なお、後述するように、第１の折れ線１１に近い領域をＶ字部２０とし、遠い領域は装着部４０、４０となる。
【００１６】
ブラインド部３０は、Ｖ字部２０の第１の折れ線１１に対して傾斜する左右対称の第２の折れ線１２、１２で谷折り（上面視）に折り曲げられてＶ字部２０の間に形成された空間に折り返されて、この空間の正面（第１の折れ線１１に沿う方向）からの視線を遮蔽する。すなわち、折り紙でいうところの「中割り折り」の要領で素材１０に折り目（第２の折れ線１２、１２）をつけて中に押し込むようにして形成される。なお、第１の折れ線１１に対する左右対称の第２の折れ線１２、１２の傾斜角度は、特に限定されるものではないが、３０度〜６０度が好ましく例えば４５度とすることができる。
【００１７】
また、ブラインド部３０は、上述したようにＶ字部２０を第２の折れ線１２、１２から中に押し込むようにして形成されるが、第２の折れ線１２、１２を後述する装着部４０、４０の位置に合わせて複数形成することで、複数の大きさのブラインド部３０を好みに合わせて形成することができるようになっている。すなわち、第２の折れ線１２は、例えば、３通りの位置に形成されており、３段階にブラインド部３０の大きさを調整できるようになっている。
【００１８】
装着部４０、４０は、Ｖ字部２０の両側を第１の折れ線１１と平行な第３の折れ線１３、１３で山折り（上面視）に折り曲げることによってＶ字部２０に連続して左右の羽根状に形成される。後述するように、Ｖ字部２０（及びブランド部３０）と装着部４０とは、選択すべき第３の折れ線１３の位置に応じて相互に変換可能となっている。
【００１９】
左右の装着部４０、４０は、粘着剤と粘着剤の塗布面を覆う剥離紙とを有するとともに、剥離紙は１つ又は複数の領域に分割されて、剥離紙が剥がされていない領域は、Ｖ字部２０として兼用可能に形成されている。すなわち、剥離紙が剥がされる領域の端部で素材１０を折り曲げて第３の折れ線１３とすることで、両端近傍を装着部４０、４０とするとともに、中央近傍をＶ字部２０（及びブランド部３０）とすることができる。
【００２０】
左右の装着部４０、４０は、１つ又は複数のミシン目１４、・・・によって複数の領域に分割されて、ミシン目１４に沿って装着部４０を切り取ることができるようにされている。すなわち、分割された剥離紙の領域に対応して、ミシン目１４、・・・が設けられることで、不要な部分を取り去ることができる。
【００２１】
装着部４０は、図３に示すように、スカートＳのセンター内側面（前面の中央下寄り）に複数回は着脱可能とされている。装着部４０のスカートＳにおける装着位置は、前面の左右方向の略中央線上であり、かつ、スカートＳの端から露出しないような位置とされることが好ましい。上下方向の装着位置は好みに応じて選択することができる。
【００２２】
（作用・効果）
次に、実施例１のスカートのブラインド１の作用・効果を列挙して説明する。
【００２３】
（１）このような実施例１のスカートのブラインド１は、平面のシート状の素材１０を折り曲げることによって構成され、第１の折れ線１１で折り曲げられて左右の太腿に沿うように形成されたＶ字部２０と、Ｖ字部２０の第１の折れ線１１に対して傾斜する左右の第２の折れ線１２、１２で折り曲げられてＶ字部２０の間に形成された空間を遮蔽するブラインド部３０と、Ｖ字部２０に連続して形成されてスカートに装着される左右の装着部４０、４０と、を一体に備える。
上述した構成なので、ブラインド１は、スカートＳのセンター内側面に、着脱可能とされているため、スカートＳを着用する人を選ばず、ブラインド１を好みの位置に配置することができる。
【００２４】
加えて、装着部４０、４０間の距離や装着部４０、４０間の相対的な角度（開き具合）を、使用者の好みに応じて様々に変えることによって、ブラインド部３０の高さ（深さ）、幅、奥行き等を自在に変えることができるため、単一の形態をとりながらも多様な形状に変形・対応することができる。
【００２５】
また、装着部１１は複数回取り付け可能に構成されており、ブラインド１を交換することで、着用途中に汗ばんだりしても直ぐに対処することができるため、臭いがつきにくいうえに、皮膚の病気にかかり難く、衛生的である。
【００２６】
さらに、使用される全ての材料が安価であるため、ブラインド１を使い捨て用の安価なものとして大量生産することもできる。さらに、ブラインド１は、立っている姿勢では外から見えず、かつ、座った姿勢では目隠しとなる。
【００２７】
そして、本発明では、装着した状態で正面から見ても、わざとらしい感じがしない、スカートのブラインド１となる。すなわち、ブラインド部３０は、正面から見ると中央が窪んだ形状となっているため、あたかもフレアパンツ乃至ペチコートが見えているような自然な感じを演出することができる。
【００２８】
さらに、平面のシート状の素材１０を折り曲げて形成することで、製造が容易であるうえ、多種類の素材を使用することができ、そのため安価であり、携帯が容易であり、したがって取替え使用しやすい。
【００２９】
（２）また、左右の装着部４０、４０は、粘着剤と粘着剤の塗布面を覆う剥離紙とを有するとともに、剥離紙は１つ又は複数の領域に分割されて、剥離紙が剥がされていない領域は、Ｖ字部２０として兼用可能に形成される。このため、身体の大きさに合わせて、また各自の好みに合わせて、装着部４０とＶ字部２０の大きさを調整することができる。
【００３０】
（３）さらに、左右の装着部４０、４０は、１つ又は複数のミシン目によって複数の領域に分割されて、ミシン目に沿って装着部４０を切り取ることができるようにされている。このため、不要な部分を切り取って除去してしまうことで、軽く、見た目にもシンプルなブラインド１となる。
【実施例２】
【００３１】
次に、図４〜６を用いて実施例２について説明する。なお、実施例１で説明した内容と同一乃至均等な部分の説明については同一符号を付して説明する。
【００３２】
（構成）
この実施例２のスカートのブラインド１Ａは、（直角）二等辺三角形の単一のシート状の素材１０をいくつかの折れ線（又はミシン目）に沿って折り曲げることによって立体的に構成される。すなわち、スカートのブラインド１Ａは、図４、５に示すように、例えばアクリル、ポリエステルやナイロンなどの化学繊維、綿や麻などの天然繊維、不織布、フェルト、和紙、洋紙等を含むシート状の素材１０から構成され、平面のシート状の素材１０の略中央に形成された第１の折れ線１１で折り曲げられて左右の太腿に沿うようにＶ字状に形成されるとともに、第１の折れ線１１に対して傾斜する左右の第２の折れ線１２、１２で折り曲げられてＶ字の間に形成された空間を遮蔽する、Ｖ字ブラインド部５０と、Ｖ字ブラインド部５０に連続して形成されてスカートに装着される左右の装着部６０、６０と、を一体に備えている。
【００３３】
Ｖ字ブラインド部５０は、（直角）二等辺三角形のシート状の素材１０を、左右の等辺の略中央の第１の折れ線１１で谷折り（上面視）に折り曲げることによって形成される。Ｖ字ブラインド部５０は、素材１０を２つに折り曲げて開くことによってＶ字状に形成される。ブラインド１をスカートＳに装着した状態では、Ｖ字ブラインド部５０は両脚部の内側に沿うように位置するため、第１の折れ線１１における折り曲げ角度は、両脚部とスカートＳで囲まれた空間を埋めることができるように調整される。なお、後述するように、第１の折れ線１１に近い領域をＶ字ブラインド部５０とし、遠い領域は装着部６０、６０となる。
【００３４】
なお、第１の折れ線１１に対する左右対称の第２の折れ線１２、１２の傾斜角度は、特に限定されるものではないが、３０度〜６０度が好ましく例えば４５度とすることができる。また、Ｖ字ブラインド部５０は、第２の折れ線１２、１２を複数形成することで、複数の大きさのＶ字ブラインド部５０を好みに合わせて形成することができるようになっている。すなわち、第２の折れ線１２は、例えば、３通りの位置に形成されており、３段階にＶ字ブラインド部５０の高さ及び幅を調整できるようになっている。
【００３５】
装着部６０、６０は、Ｖ字ブラインド部５０の両側を第２の折れ線１２、１２で山折り（上面視）に折り曲げることによってＶ字ブラインド部５０に連続して左右に羽根状に形成される。後述するように、Ｖ字ブラインド部５０と装着部６０、６０とは、選択すべき第２の折れ線１２の位置に応じて相互に変換可能となっている。
【００３６】
左右の装着部６０、６０は、粘着剤と粘着剤の塗布面を覆う剥離紙とを有するとともに、剥離紙は１つ又は複数の領域に分割されて、剥離紙が剥がされていない領域は、Ｖ字ブラインド部５０として兼用可能に形成されている。すなわち、剥離紙が剥がされる領域の端部で素材１０を折り曲げて第２の折れ線１２とすることで、両端近傍を装着部６０、６０とするとともに、中央近傍をＶ字ブラインド部５０とすることができる。
【００３７】
左右の装着部６０、６０は、１つ又は複数のミシン目１４、・・・によって複数の領域に分割されて、ミシン目１４に沿って装着部６０を切り取ることもできるようにされている。すなわち、分割された剥離紙の領域に対応して、ミシン目１４、・・・が設けられることで、不要な部分を取り去ることができる。
【００３８】
装着部６０は、図６に示すように、スカートＳのセンター内側面（前面の中央下寄り）に複数回は着脱可能とされている。装着部６０のスカートＳにおける装着位置は、前面の左右方向の略中央線上であり、かつ、スカートＳの端から露出しないような位置とされることが好ましい。上下方向の装着位置は好みに応じて選択することができる。
【００３９】
さらに、Ｖ字ブラインド部５０の先端は、１つ又は複数のミシン目１４によって複数の領域に分割されて、ミシン目１４に沿って先端を切り取ることができるようにされている。すなわち、スカートＳに装着された状態では、等辺が交わる頂点が正面に突出するようになるが、この部分を切り取って大きさを調整することで、必要以上に先端が突出しすぎることを防止することができる。
【００４０】
（作用・効果）
次に、実施例２のスカートのブラインド１Ａの作用・効果を列挙して説明する。
【００４１】
（１）このような実施例２のスカートのブラインド１Ａは、平面のシート状の素材１０から構成され、第１の折れ線１１で折り曲げられて左右の太腿に沿うようにＶ字状に形成されるとともに、第１の折れ線１１に対して傾斜する左右の第２の折れ線１２、１２で折り曲げられてＶ字の間に形成された空間を遮蔽する、Ｖ字ブラインド部５０と、Ｖ字ブラインド部５０に連続して形成されてスカートに装着される左右の装着部６０、６０と、を一体に備えている。
上述した構成なので、ブラインド１Ａは、スカートＳのセンター内側面に、着脱可能とされているため、スカートＳを着用する人を選ばず、ブラインド１Ａを好みの位置に配置することができる。
【００４２】
加えて、装着部６０、６０間の距離や装着部６０、６０間の相対的な角度（開き具合）を、使用者の好みに応じて様々に変えることによって、Ｖ字ブラインド部５０の高さ（深さ）、幅、奥行き等を自在に変えることができるため、単一の形態をとりながらも多様な形状に変形・対応することができる。
【００４３】
また、装着部６０は複数回取り付け可能に構成されており、ブラインド１Ａを交換することで、着用途中に汗ばんだりしても直ぐに対処することができるため、臭いがつきにくいうえに、皮膚の病気にかかり難く、衛生的である。
【００４４】
さらに、使用される全ての材料が安価であるため、ブラインド１Ａを使い捨て用の安価なものとして大量生産することもできる。さらに、ブラインド１Ａは、立っている姿勢では外から見えず、かつ、座った姿勢では目隠しとなる。
【００４５】
そして、本発明では、装着した状態で正面から見ても、わざとらしい感じがしない、スカートのブラインド１Ａとなる。すなわち、Ｖ字ブラインド部５０は、正面から見ると中央が窪んだ形状となっているため、あたかもフレアパンツ乃至ペチコートが見えているような自然な感じを演出することができる。
【００４６】
さらに、平面のシート状の素材１０を折り曲げて形成することで、製造が容易であるうえ、多種類の素材を使用することができ、そのため安価であり、携帯が容易であり、したがって取替え使用しやすい。
【００４７】
（２）また、Ｖ字ブラインド部５０の先端は、１つ又は複数のミシン目１４、・・・によって複数の領域に分割されて、ミシン目１４、・・・に沿って先端を切り取ることができるようにされている。このため、身体の大きさや好みに応じて、先端部分を切り取って調整するようにすることで、必要以上に先端が突出しすぎることを防止することができる。
【００４８】
なお、他の構成及び作用効果については、実施例１と略同様であるので説明を省略する。
【００４９】
以上、図面を参照して、本発明を実施するための形態を実施例１〜３に基づいて詳述してきたが、具体的な構成は、これら実施例１〜３に限らず、本発明の要旨を逸脱しない程度の設計的変更は、本発明に含まれる。
【００５０】
例えば、上述した実施例１〜３では、装着部４０、６０に粘着剤が塗布されている場合について説明したが、これに限定されるものではない。装着部は、面ファスナーによって形成されて、一方を装着部側に取り付け、他方をスカート側に取り付けるように構成してもよい。この場合、スカートに取り付ける側は、粘着させてもよいし、縫い付けて固定することもできる。また、この場合、スカート側に取り付ける面ファスナーを、ブラインド１、１Ａの装着部４０、６０よりも広い面積のものにすることで、使用者の好みに応じてブラインド１、１Ａの位置、高さ（深さ）、開き具合等を調整することができる。例えば、スカート側の面ファスナーとして、ブラインド１、１Ａの面積と同程度の広さのものを用いることもできる。さらに、汗などで汚れた場合はブラインド１、１Ａを交換し、必要に応じて洗濯して再利用することなども可能である。
【００５１】
さらに、上述した実施例１〜３では、ブラインド部３０及びＶ字ブラインド部５０に特別な成分を含有させずに実施したが、これに限定されず、オプションとして香水の香りをつけたり、蚊よけなどのために防虫成分を含有させたりして実施してもよい。
【００５２】
上述した実施例１〜３では、特に説明しなかったが、スカートのブラインド１、１Ａには、様々な色彩を付すことができる。例えば、スカートＳの色に合わせたり、ストッキングの色に合わせたりすることができる。
【００５３】
また、図７の変形例に示すように、装着部６０の粘着力を高めるために、装着部６０に隣接して補助的に拡大部６１を設けることもできる。なお、拡大部６１の形状や位置は実施例に限定されず、どのようなものであってもよい。加えて、装着部６０の外縁にスリットを設けることもできる。
【００５４】
さらに、実施例１では図１の左側を正面（前方側）とし、実施例２では図４の左側を正面（前方側）として説明したが、これに限定されるものではなく、使用者の好みに応じて逆向きにスカートＳに装着することもできる。
【００５５】
また、実施例１、２では、シート状の素材１０として、例えばアクリル、ポリエステルやナイロンなどの化学繊維、綿や麻などの天然繊維、不織布、フェルト、和紙、洋紙等を含むシート状の素材１０を用いる場合について説明したが、これに限定されるものではなく、所定の伸縮性を有する素材を用いることで、スカートＳの変形に追従するように構成することもできる。
【符号の説明】
【００５６】
１、１Ａ  スカートのブラインド
１０      シート状の素材
１１      第１の折れ線
１２      第２の折れ線
１３      第３の折れ線
１４      ミシン目
２０      Ｖ字部
３０      ブラインド部
４０      装着部
５０      Ｖ字ブラインド部
６０      装着部
【図１】
2018016924.tif 000003
【図２】
2018016924.tif 000004
【図３】
2018016924.tif 000005
【図４】
2018016924.tif 000006
【図５】
2018016924.tif 000007
【図６】
2018016924.tif 000008
【図７】
2018016924.tif 000009
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
平面のシート状の素材から構成され、
第１の折れ線で折り曲げられて左右の太腿に沿うように形成されたＶ字部と、
前記Ｖ字部の前記第１の折れ線に対して傾斜する左右の第２の折れ線で折り曲げられて前記Ｖ字部の間に形成された空間を遮蔽するブラインド部と、
前記Ｖ字部に連続して形成されてスカートに装着される左右の装着部と、を一体に備え、
左右の前記装着部は、粘着剤と前記粘着剤の塗布面を覆う剥離紙とを有するとともに、前記剥離紙は１つ又は複数の領域に分割されて、前記剥離紙が剥がされていない領域は、前記Ｖ字部として兼用可能に形成されることを特徴とする、スカートのブラインド。
【請求項２】
平面のシート状の素材から構成され、
第１の折れ線で折り曲げられて左右の太腿に沿うように形成されたＶ字部と、
前記Ｖ字部の前記第１の折れ線に対して傾斜する左右の第２の折れ線で折り曲げられて前記Ｖ字部の間に形成された空間を遮蔽するブラインド部と、
前記Ｖ字部に連続して形成されてスカートに装着される左右の装着部と、を一体に備え、
左右の前記装着部は、１つ又は複数のミシン目によって複数の領域に分割されて、前記ミシン目に沿って前記装着部を切り取ることができるようにされている、スカートのブラインド。
【請求項３】
平面のシート状の素材から構成され、
第１の折れ線で折り曲げられて左右の太腿に沿うようにＶ字状に形成されるとともに、前記第１の折れ線に対して傾斜する左右の第２の折れ線で折り曲げられて前記Ｖ字の間に形成された空間を遮蔽する、Ｖ字ブラインド部と、
前記Ｖ字ブラインド部に連続して形成されてスカートに装着される左右の装着部と、を一体に備え、
左右の前記装着部は、粘着剤と前記粘着剤の塗布面を覆う剥離紙とを有するとともに、前記剥離紙は１つ又は複数の領域に分割されて、前記剥離紙が剥がされていない領域は、前記Ｖ字ブラインド部として兼用可能に形成されることを特徴とする、スカートのブラインド。
【請求項４】
平面のシート状の素材から構成され、
第１の折れ線で折り曲げられて左右の太腿に沿うようにＶ字状に形成されるとともに、前記第１の折れ線に対して傾斜する左右の第２の折れ線で折り曲げられて前記Ｖ字の間に形成された空間を遮蔽する、Ｖ字ブラインド部と、
前記Ｖ字ブラインド部に連続して形成されてスカートに装着される左右の装着部と、を一体に備え、
左右の前記装着部は、１つ又は複数のミシン目によって複数の領域に分割されて、前記ミシン目に沿って前記装着部を切り取ることができるようにされている、スカートのブラインド。
【請求項５】
前記Ｖ字ブラインド部の先端は、１つ又は複数のミシン目によって複数の領域に分割されて、前記ミシン目に沿って前記先端を切り取ることができるようにされている、請求項３又は請求項４に記載されたスカートのブラインド。